【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】
基本ユニットに１又は２以上の増設用ユニットを結合して構成され、
前記基本ユニットは、データを記録媒体に記録しまたは再生させるための記録・再生手段と、記録媒体を収容する収容手段と、収容手段と記録・再生手段との間で記録媒体を移送するための移送手段と、を筐体の内部に設け、当該筐体には増設用ユニットに連通させるための連通部を設けて構成し、
前記増設用ユニットは、記録媒体を収容する収容手段と、増設用ユニットの収容手段と基本ユニットの記録・再生手段との間で移送手段が記録媒体を移送するための移送空間とを筐体の内部に設け、当該筐体には基本ユニットに連通させるための連通部を設けて構成した、
ことを特徴とする記録および／又は再生装置。
【請求項２】
前記収容手段は、前記基本ユニットと前記増設用ユニットとの結合方向と略平行な回動軸を中心として回動する回動部材の外周部に記録媒体を収容するための収容部を複数配置して構成したことを特徴とする請求項１に記載の記録および／又は再生装置。
【請求項３】
前記収容部は、前記回動軸の長さ方向へ複数段設けたことを特徴とする請求項２に記載の記録および／又は再生装置。
【請求項４】
前記移送手段は、前記回動軸の長さ方向へ向かって布設したガイド手段と、当該ガイド手段に沿って移動する移動台と、当該移動台に設けられると共に前記収容部又は前記記録・再生手段に対して進退する進退台と、当該進退台に設けられると共に記録媒体を把持または開放するクランプ手段とで構成したことを特徴とする請求項３に記載の記録および／又は再生装置。
【請求項５】
前記ガイド手段は、前記基本ユニットと前記増設用ユニットとを結合した長さと対応する長さ分だけ連結して設けたことを特徴とする請求項４に記載の記録および／又は再生装置。
【請求項６】
前記基本ユニットに前記記録・再生手段を複数設ける一方、前記移送手段には、前記進退台を夫々の記録・再生手段と対向する位置へ移動させるためのスライド台を設けたことを特徴とする請求項５に記載の記録および／又は再生装置。
【請求項７】
前記収容部のカセットテープがとびだすのを防止するフェンスを、回動する前記収容部の外側に設けたことを特徴とする請求項６に記載の記録および／又は再生装置。
【請求項８】
前記増設用ユニットに、データを記録媒体に記録しまたは再生させるための記録・再生手段を設けたことを特徴とする請求項７に記載の記録および／又は再生装置。
【請求項９】
データを記録媒体に記録しまたは再生させるための記録・再生手段と、記録媒体を収容する収容手段と、収容手段と記録・再生手段との間で記録媒体を移送するための移送手段と、を筐体の内部に設けた基本ユニットに結合させて用いる増設用ユニットにおいて、
記録媒体を収容する収容手段とデータを記録媒体に記録しまたは再生させるための記録・再生手段との少なくともいずれか一方を筐体の内部に収容し、前記基本ユニットに結合したときに、増設用ユニットと基本ユニットとの間で前記移送手段が記録媒体を移送するための移送空間を筐体の内部に設け、当該筐体には前記基本ユニットに連通させるための連通部を設けたことを特徴とする増設用ユニット。
【請求項１０】
前記収容部へ記録媒体を出し入れするための挿脱口を、筐体に設けたことを特徴とする請求項９に記載の増設用ユニット。
【手続補正２】
【補正対象書類名】明細書
【補正対象項目名】０００７
【補正方法】変更
【補正の内容】
【０００７】
【課題を解決するための手段】
かかる目的を達成するための請求項１にかかる発明の構成は、基本ユニットに１又は２以上の増設用ユニットを結合して構成され、前記基本ユニットは、データを記録媒体に記録しまたは再生させるための記録・再生手段と、記録媒体を収容する収容手段と、収容手段と記録・再生手段との間で記録媒体を移送するための移送手段と、を筐体の内部に設け、当該筐体には増設用ユニットに連通させるための連通部を設けて構成し、前記増設用ユニットは、記録媒体を収容する収容手段と、増設用ユニットの収容手段と基本ユニットの記録・再生手段との間で移送手段が記録媒体を移送するための移送空間とを筐体の内部に設け、当該筐体には基本ユニットに連通させるための連通部を設けて構成したことを特徴とし、
請求項２にかかる発明の構成は、請求項１において、前記収容手段は、前記基本ユニットと前記増設用ユニットとの結合方向と略平行な回動軸を中心として回動する回動部材の外周部に記録媒体を収容するための収容部を複数配置して構成したことを特徴とし、
請求項３にかかる発明の構成は、請求項２において、前記収容部は、前記回動軸の長さ方向へ複数段設けたことを特徴とし、
請求項４にかかる発明の構成は、請求項３において、前記移送手段は、前記回動軸の長さ方向へ向かって布設したガイド手段と、当該ガイド手段に沿って移動する移動台と、当該移動台に設けられると共に前記収容部又は前記記録・再生手段に対して進退する進退台と、当該進退台に設けられると共に記録媒体を把持または開放するクランプ手段とで構成したことを特徴とし、
請求項５にかかる発明の構成は、請求項４において、前記ガイド手段は、前記基本ユニットと前記増設用ユニットとを結合した長さと対応する長さ分だけ連結して設けたことを特徴とし、
請求項６にかかる発明の構成は、請求項５において、前記基本ユニットに前記記録・再生手段を複数設ける一方、前記移送手段には、前記進退台を夫々の記録・再生手段と対向する位置へ移動させるためのスライド台を設けたことを特徴とし、
請求項７にかかる発明の構成は、請求項６において、前記収容部のカセットテープがとびだすのを防止するフェンスを、回動する前記収容部の外側に設けたことを特徴とし、
請求項８にかかる発明の構成は、請求項７において、前記増設用ユニットに、データを記録媒体に記録しまたは再生させるための記録・再生手段を設けたことを特徴とし、
請求項９にかかる発明の構成は、データを記録媒体に記録しまたは再生させるための記録・再生手段と、記録媒体を収容する収容手段と、収容手段と記録・再生手段との間で記録媒体を移送するための移送手段と、を筐体の内部に設けた基本ユニットに結合させて用いる増設用ユニットにおいて、
記録媒体を収容する収容手段とデータを記録媒体に記録しまたは再生させるための記録・再生手段との少なくともいずれか一方を筐体の内部に収容し、前記基本ユニットに結合したときに、増設用ユニットと基本ユニットとの間で前記移送手段が記録媒体を移送するための移送空間を筐体の内部に設け、当該筐体には前記基本ユニットに連通させるための連通部を設けたことを特徴とし、
請求項１０にかかる発明の構成は、請求項９において、前記収容部へ記録媒体を出し入れするための挿脱口を、筐体に設けたことを特徴とする。
【手続補正３】
【補正対象書類名】明細書
【補正対象項目名】００４２
【補正方法】変更
【補正の内容】
【００４２】
【発明の効果】
以上説明したように、請求項１〜１０にかかる記録および／又は再生装置によれば、基本ユニットに増設用ユニットを結合して記録および／又は再生装置を構成したので、記録媒体を収容する収容部の大きさの必要性に応じて、増設用ユニットを増減させることができる。従って、従来のようにもっと多くの収容部が必要であっても容易には増やせなかつたり、あるいは逆に、必要でないのに収容部が多くて余ってしまうという、不都合なことが生じない。つまり、臨機応変に対応することができる。